(57)【特許請求の範囲】
【請求項１】
直立管（１）とこの中に共通の長手方向中央軸線（３）と同心状に配設された空気作用又は水と空気の作用による長さ調節要素とを備えてなり、当該長さ調整要素のハウジング（４）が直立管（１）内に半径方向に支持され軸線（３）方向に変位可能に案内され、長さ調節要素のピストンロッド（７）がその自由端で直立管（１）のボトム（９）に軸線（３）方向にて固定され、ハウジング（４）が直立管（１）を出る個所から離れた側の直立管（１）端部（１０）でボトム（９）が、直立管（１）から突出し半径方向に延在し直立管（１）の内側に向かって開口した溝（１９）と環状部分（２０）とを備えてなり、当該環状部分（２０）が溝（１９）と連結し当該部分にピストンロッド（７）が固定されている、椅子やテーブル用の長さ調節可能な支柱において、
前記溝（１９）と環状部分（２０）とが直立管（１）と一体的に形成されていることを特徴とする支柱。
【請求項２】
溝（１９）が環状部分（２０）の方へ偏った脇腹部（２２）を有することを特徴とする請求項１に記載の支柱。
【請求項３】
環状部分（２０）に至る溝（１９）の接合部が丸くなっていることを特徴とする請求項１又は２に記載の支柱。
【請求項４】
ピストンロッド（７）がボトム（９）上で軸ローラベアリング（８）に支持され、環状部分（２０）の径（Ｄ’）がローラベアリング（８）の径（ｄ’）より大きいことを特徴とする請求項１〜３のいずれか一項に記載の支柱。
【請求項５】
椅子やテーブル用の長さ調節可能な支柱のための直立管であって、この中に空気作用又は水と空気の作用による長さ調節要素が共通の長手方向中央軸線（３）で同心状に配設可能で、当該長さ調整要素のハウジング（４）が直立管（１）内に半径方向に支持可能で軸線（３）方向に変位できるように案内可能で、長さ調節要素のピストンロッド（７）がその自由端で直立管（１）のボトム（９）に軸線（３）方向にて固定可能で、ハウジング（４）が直立管（１）を出る個所から離れた側の直立管（１）端部（１０）でボトム（９）が、直立管（１）から突出し半径方向に延在し直立管（１）の内側に向かって開口した溝（１９）と環状部分（２０）とを備えてなり、当該環状部分（２０）が溝（１９）と連結し当該部分にピストンロッド（７）が固定される、長さ調節可能な支柱用直立管において、
前記溝（１９）と環状部分（２０）とが直立管（１）と一体的に形成されていることを特徴とする直立管。
【請求項６】
溝（１９）が環状部分（２０）の方へ偏った脇腹部（２２）を有することを特徴とする請求項５に記載の直立管。
【請求項７】
環状部分（２０）に至る溝（１９）の接合部が丸くなっていることを特徴とする請求項５又は６に記載の直立管。
【請求項８】
ピストンロッド（７）がボトム（９）上で軸ローラベアリング（８）に支持され、環状部分（２０）の径（Ｄ’）がローラベアリング（８）の径（ｄ’）より大きいことを特徴とする請求項５〜７のいずれか一項に記載の支柱用直立管。
【発明の詳細な説明】
【０００１】
【発明の属する技術分野】
本発明は、請求項１の前文（プリアンブル部分、所謂おいて部分）に従う可調長さの支柱、及び請求項５の前文（プリアンブル部分、所謂おいて部分）に従う直立管に関するものである。
【０００２】
【従来の技術及び発明が解決しようとする課題】
可調長さの支柱の種概念は、ヨーロッパ特許第３６６８８９号（EP 0 366 889 B1、米国特許第4 969 619号に対応する）から公知である。これらの公知の支柱において、直立管の下端は、内側に向かって曲がっていて、ほぼ半円の断面領域を有し、長手方向中央軸線の方向において且つ直立管の内側に向かって溝開口を形成する。ボトムプレートは、前記下端の前部上に支持される。前部は、直立管の内壁から間隔をあけられている。直立管の上端部に向かって、ボトムプレートは、直立管におけるひだ、刻印等によって固定される。この解決法は、実際問題としてベストであった。
【０００３】
更に米国特許第４２４５８２６号（U.S. patent 4 245 826、ドイツ実用新案第 76 23 238）から原則的に等しい可調長さの支柱が公知であり、そこにおいては直立管の下端が半径方向内側に向かって曲げられ、ボトムプレートがこの端部に置かれている。直立管に形成されたひだは、ボトムプレートの上側に面した保護手段として供される。
【０００４】
本発明の目的はそれぞれ一般的タイプの支柱と直立管を具現化することにあり、その結果、高い安定性を呈する一方、直立管は特に構造上簡単で非常に容易に製造される。
【０００５】
【課題を解決するための手段】
本発明によれば、この目的は、一般的タイプの可調長さの支柱において請求項１の特徴部分における特徴的構成によって、及び請求項５の前文に従う直立管においてその特徴部分の特徴的構成によって達成される。
【０００６】
発明に従うやり方のために、更に別の操作によってひだ等を用い固定しなければならない特別なボトムプレートの必要性がもはやない。ボトム構造の安定性は、非常に高く、その結果、ピストンロッドと比較して、たとえ直立管がボトム近傍において又はボトムに付けられるべきベアリング近傍において非常に大きくとも、長さ調整要素のピストンロッドが信頼性高く保持されることとなる。
【０００７】
更に有利な実施態様は、従属の請求項から明らかとなろう。
【０００８】
【実施例】
本発明の詳細は、図面に関連した例示的な具体例の以下の記述から明らかとなろう。
【０００９】
図に示された椅子の支柱は直立管１を有し、これに空気作用の、又は水／空気作用のピストンシリンダ調節要素の形態をした可調長さのガススプリングが配設されている。直立管１とガススプリング２は共通の長手方向中央軸線３を有する。
【００１０】
ガススプリング２の外側ハウジング４はガイドブッシュ５内に軸線３の方向に変位可能に支持され、ガイドブッシュは一端６、即ち、図面における直立管１の上方端に配設される。ガススプリング２のこの外側ハウジング４は、スプリング自身のハウジングであるか、ハウジングを取り巻く保護管のいずれかであってもよい。
【００１１】
ガススプリングのハウジング４からピストンロッド７が突き出ており、これは軸線３方向において軸ローラベアリング８を介して直立管１のボトムプレート９に対して支持されている。ボトムプレート９は第一端部６と反対側の直立管１の端部１０に位置するが、この端部１０は図面において底側に示される。軸ローラベアリング８を貫くピストンロッド７の突出部１１は、ボトムプレート９の軸線３と同心状に表された開口部１２を通って延在する。シム１３とスプリング固定リング１４が突出部１１をボトムプレート９の下側へ向かって引き出すことに抗して固定する。開口部１２の径は突出部１１の径よりも大きい。この種の締結でガススプリング２は直立管１に対して回転可能である。突出部１１と開口部１２の間の半径方向の遊び１５のためにガススプリングは直立管１に対して僅かだけ傾き、そしてガイドブッシュ５内においては斜めにならずに案内される。最後にピストンロッド７とともにガススプリングは、作動ピン１６の作動によってガススプリング２の長手方向の調整に関してガススプリング２のハウジング４が直立管１に対して出入りするように、軸線３方向に直立管に対して取り付けられる。作動ピン１６はピストンロッド７と反対側のガススプリング２のハウジング４の端部に位置する。椅子座面又はテーブル上面が同様にこれに固定される。
【００１２】
端部１０と隣接して、直立管１は当該端部に向かって僅かに円錐状に窄まったコーン部分１７を有し、これによって直立管１を複脚椅子ベース等の対応する円錐ブッシュに取り付けることが可能となる。
【００１３】
主に椅子支柱として用いられるがテーブル等の支柱としても用いられるここまでに記載された支柱は、一般的に公知で市販されており、例えばドイツ特許第１９３１０１２号明細書（German patent 19 31 012、米国特許第 3 711 054号に対応する）及びヨーロッパ特許第１３３５２４号公報（EP 0 133 524 B1、米国特許第 4 979 718号に対応する）又はヨーロッパ特許第３６６８８９号公報（EP 0 366 889 B1、米国特許第 4 969 619号に対応する）に記載され図示されている。
【００１４】
直立管１の全ボトム９は当該管と一体的に形成され、即ち、当該管の変形によって実際の直立管から作られている。コーン部分１７に下方部分１８が続き、この下方部分はコーン部分に対して収縮され、この部分にボトム９は形成されている。ボトム９は直立管１の内側に向かって開放した溝１９を有し、軸線３に向かう方向において、当該溝１９に実質的に平坦な環状部分２０が続き、この環状部分は軸線３に対し半径方向に延在し、軸ローラベアリング８に対する支持表面として供され、その中の空間部が開口部１２となる。
【００１５】
図面から認められるように、溝１９は断面がほぼ半円状で、鋭いエッジ部を有しない。溝１９が環状部分２０に至る接合点２１は同様に丸みを帯びていて、言い換えれば、鋭い角部をつけられていない。環状部分２０に至る溝１９の穏やかな移行部を実現するために、環状部分２０に向いた溝１９の脇腹部２２は環状部分２０に向かって明らかに偏らされ、理想的な半円断面領域から外れている。
【００１６】
直立管１の部分１８の内径Ｄは図面から認められるようにピストンロッド７の径ｄよりも多重的乃至倍数的に大きい。同様にローラベアリング８の径ｄ’は内径Ｄよりはっきりと小さい。軸線３に対して半径方向の溝１９の平均幅ａは３０〜５０ｍｍの範囲となる。ピストンロッド７の径ｄはほぼ１０ｍｍである。２０〜３０ｍｍの範囲が径ｄ’に当てはまる。
【００１７】
図１に示されたように、ボトム９から下方へ突き出しシム１３とスプリング固定リング１４からなる突出部１１の部分は、溝１９が環状部分２０を越えて下方に向かって突き出ているので、ボトム９においていわば陥没の反対状態(countersunk)にある。スプリング固定リング１４はそれ故、溝１９の範囲内で保護される。厚パイルのカーペットによって取り除かれることがなく、ユーザーが足で直立管１の下方部分に触れる際に怪我をする危険がない。
【図面の簡単な説明】
【図１】本発明に係る支柱の部分的に切断した長手方向の図である。
【図２】支柱の直立管の断片的な長手方向断面図である。
【符号の説明】
１  直立管
４  ハウジング
３  軸線
７  ピストンロッド
１９  溝
２０  環状部分
【図１】
0003848400.tif 000002
【図２】
0003848400.tif 000003